(57)【要約】【課題】中継装置を介してホスト装置に接続される場合にも、ホスト装置の電力消費状態を判定することができるようにする。【解決手段】ＵＳＢケーブル２００を介してホスト装置１００に接続されるプリンタ１において、ホスト装置１００の状態を問い合わせるコントロール部２１およびＵＳＢ制御部２０と、上記問い合わせに対する応答結果に基づいて、ホスト装置１００の電源消費状態を判定する判定部２５と、判定部２５による判定結果に基づいて、プリンタ１の内部に供給する電力を制御する電力制御部２６とを備える。【選択図】        図３
2006142768.tif 000002
【特許請求の範囲】
【請求項１】
シリアルインターフェースを介してホスト装置に接続される画像形成装置において、
上記ホスト装置の状態を問い合わせる状態問い合わせ手段と、
上記状態問い合わせ手段による問い合わせに対する応答結果に基づいて、上記ホスト装置の電力消費状態を判定する判定手段と、
上記判定手段による判定結果に基づいて、上記画像形成装置の内部に供給する電力を制御する電力制御手段と
を備えた
ことを特徴とする画像形成装置。
【請求項２】
上記シリアルインターフェースは、ＵＳＢであることを特徴とする請求項１記載の画像形成装置。
【請求項３】
上記問い合わせ手段は、コントロール転送であることを特徴とする請求項２記載の画像形成装置。
【請求項４】
上記問い合わせ手段は、インタラプト転送であることを特徴とする請求項２記載の画像形成装置。
【請求項５】
上記問い合わせ手段は、バルク転送であることを特徴とする請求項２記載の画像形成装置。
【請求項６】
上記シリアルインターフェースは、ＩＥＥＥ１３９４であることを特徴とする請求項１記載の画像形成装置。
【請求項７】
上記判定手段は、上記ホスト装置からの応答が所定の時間内になかった場合に、上記ホスト装置の電源がオフであると判定し、
上記電力制御手段は、上記ホスト装置が電源オフと判定された場合に、上記画像形成装置の内部に供給する電力を減少させる
ことを特徴とする請求項１記載の画像形成装置。
【請求項８】
上記判定手段は、上記ホスト装置からの応答が所定の時間内になかった場合に、上記ホスト装置の電源がオフであると判定し、
上記電力制御手段は、上記ホスト装置が電源オフと判定された場合に、上記画像形成装置の電源をオフにする
ことを特徴とする請求項１記載の画像形成装置。
【請求項９】
上記判定手段は、上記ホスト装置からの応答が所定の時間内にあった場合に、上記ホスト装置の電源がオンであると判定し、
上記電力制御手段は、上記ホスト装置が電源オンと判定された場合に、上記画像形成装置の内部に供給する電力を増加させる
ことを特徴とする請求項１記載の画像形成装置。
【請求項１０】
上記問い合わせに対する上記ホスト装置からの応答情報は、上記ホスト装置の電力消費状態を示す電力消費情報を含むことを特徴とする請求項１記載の画像形成装置。
【請求項１１】
上記判定手段は、上記電力消費情報に基づいて、上記ホスト装置がパワーセーブ状態であるか否かを判定し、
上記電力制御手段は、上記ホスト装置がパワーセーブ状態であると判定された場合には、上記画像形成装置の内部に供給する電力を減少させ、上記ホスト装置がパワーセーブ状態でないと判定された場合には、上記画像形成装置の内部に供給する電力を増加させる
ことを特徴とする請求項１０記載の画像形成装置。
【発明の詳細な説明】
【技術分野】
【０００１】
本発明は、画像形成装置、特にシリアルインターフェースを介してホスト装置に接続される画像形成装置に関する。
【背景技術】
【０００２】
シリアルインターフェースを介してホスト装置に接続される画像形成装置としては、例えば、ＵＳＢインターフェースによってパーソナルコンピュータ等のホスト装置に接続されるプリンタがある。
【０００３】
このようなプリンタは、ユーザがいつでも使用できるように、常に印刷可能状態にセットされているのが通例であったが、近年、環境問題改善の一環として省電力化が推進されており、ユーザが使用しないときにも印刷可能状態のまま放置して、不要な電力が消費されることは望ましくない。
【０００４】
このため、ＵＳＢインターフェースによってパーソナルコンピュータに接続されるプリンタには、ＵＳＢインターフェースにおいてのパーソナルコンピュータからの電源供給バス（ＶＢＵＳ）の電圧を監視することにより、パーソナルコンピュータの電源状態を検出し、パーソナルコンピュータの電源オフを検出したときには、プリンタの電源をオフまたは低電力とすることにより、省電力化を図るものが提案されている（例えば、特許文献１）。
【０００５】
【特許文献１】特開平１１−３０５８８０号公報
【発明の開示】
【発明が解決しようとする課題】
【０００６】
しかしながら、ホスト装置の電源電圧を直接検出する上記従来の画像形成装置では、ＵＳＢハブ装置等の中継装置を介してホスト装置に接続される場合には、画像形成装置がホスト装置の電源状態を直接検出できなくなるという課題があった。
【０００７】
本発明は、このような従来の課題を解決するためになされたものであり、中継装置を介してホスト装置に接続される場合にも、ホスト装置の電力消費状態を判定することができる画像形成装置を提供することを目的とするものである。
【課題を解決するための手段】
【０００８】
本発明の画像形成装置は、
シリアルインターフェースを介してホスト装置に接続される画像形成装置において、
上記ホスト装置の状態を問い合わせる状態問い合わせ手段と、
上記状態問い合わせ手段による問い合わせに対する応答結果に基づいて、上記ホスト装置の電力消費状態を判定する判定手段と、
上記判定手段による判定結果に基づいて、上記画像形成装置の内部に供給する電力を制御する電力制御手段と
を備えた
ことを特徴とする。
【発明の効果】
【０００９】
本発明によれば、ホスト装置の状態をホスト装置に問い合わせ、その問い合わせに対する応答結果に基づいて、ホスト装置の電力消費状態を判定することにより、中継装置を介してホスト装置に接続される場合にも、ホスト装置の電力消費状態を判定することが可能となり、その判定結果に基づいて画像形成装置の内部に供給する電力を制御するので、無駄な電力消費を削減でき、省電力化を図ることができるという効果がある。
【発明を実施するための最良の形態】
【００１０】
実施の形態１
図１は本発明の実施の形態１の画像形成システムの構成図である、図１において、実施の形態１の画像形成システムは、電子写真方式のプリンタ等である画像形成装置１と、パーソナルコンピュータ等であるホスト装置１００とを、ＵＳＢインターフェースやＩＥＥＥ１３９４インターフェース等であるシリアルインターフェースのケーブル２００を介して接続した構成である。
【００１１】
このような実施の形態１の画像形成システムについて、画像形成装置１を電子写真方式のプリンタ、シリアルインターフェースケーブル２００をＵＳＢケーブルとし、プリンタ１とホスト装置１００とを、ＵＳＢケーブル２００を介して接続した印刷システムを例に、以下に説明する。
【００１２】
上記構成の実施の形態１の印刷システムでは、ホスト装置１００とプリンタ１との間で、ＵＳＢ規格に従って、印刷すべきデータが送受信される。例えば、ＵＳＢ規格で規定されたバルク転送仕様，アイソクロナス転送仕様，インタラプト転送仕様，コントロール転送仕様が挙げられる。
【００１３】
ＵＳＢ規格の印刷システムでは、ホスト装置１００からコマンドやデータをプリンタ１に送信し、その結果、プリンタ１は、応答結果をホスト装置１００に返信するといったホスト装置１００主導による制御方法が一般的である。ただし、アイソクロナス転送仕様では、応答結果をホスト装置１００に返信することができない。
【００１４】
図２は電子写真方式のプリンタ１の側面構成図であって、印刷媒体の搬送経路を説明する図である。図２において、プリンタ１は、印刷媒体（印刷用紙）３を準備しておくトレイ２と、印刷媒体３を給紙する給紙ローラ４と、給紙ローラ４からの印刷媒体３を搬送する搬送ローラ５と、印刷データを印刷媒体３に転写する像が形成される感光体ドラム６と、トナーが充填されているトナーボトル７と、トナーを感光体ドラム６から印刷媒体３に電気的に転写する転写ローラ８と、転写されたトナーを印刷媒体３に定着させる定着ローラ９と、交流電流の供給により点灯して熱を放出するヒータ１０と、印刷媒体３をスタックするスタッカ１１とを備えている。
【００１５】
図２のプリンタ１において、給紙ローラ４は、回転して、トレイ２から印刷媒体３を給紙し、この印刷媒体３を搬送ローラ５に搬送する。搬送ローラ５は、回転して、印刷媒体３を感光体ドラム６に搬送する。感光体ドラム６は、ホスト装置１００（図１参照）から送信された印刷データに基づいて像を形成し、トナーボトル７から供給されたトナーを上記の像に移動させる。感光体ドラム６に移動したトナーは、転写ローラ８により感光体ドラム６から印刷媒体３に転写される。感光体ドラム６は、回転して、印刷媒体３を定着ローラ９に搬送する。定着ローラ９は、ヒータ１０が点灯することにより高温となり、トナーを印刷媒体３に定着させる。そして、定着ローラ９は、回転して、印刷媒体３をスタッカ１１に搬送する。スタッカ１１には、トナーが定着された印刷媒体３がスタックされる。
【００１６】
図３はプリンタ１のブロック構成図であり、図２と同じものには同じ符号を付してある。図３において、プリンタ１は、ホスト装置１００と通信をするＵＳＢ制御部２０と、プリンタ１の動作を制御するコントロール部２１と、プリンタ１の制御プログラムが記憶されているＲＯＭ２２と、時間を監視する第１のタイマー２３と、時間を監視する第２のタイマー２４と、ホスト装置１００からの応答結果に基づいてホスト装置１００の電力消費状態を判定する判定部２５と、電源２７の電力を制御する電力制御部２６と、プリンタ１に電力を供給する電源２７と、図２において説明したヒータ１０とを備えている。
【００１７】
図３において、ホスト装置１００は、ＵＳＢケーブル２００を介して、プリンタ１のＵＳＢ制御部２０に接続されている。ＵＳＢ制御部２０は、コントロール部２１および判定部２５に接続されている。コントロール部２１は、ＲＯＭ２１、第１のタイマー２３、第２のタイマー２４、判定部２５、および電力制御部２６に接続されている。第２のタイマー２４は、判定部２５にも接続されている。電力制御部２６は、電源２７に接続されている。電源２７は、ヒータ１０を含むプリンタ１内の電力供給を必要とするそれぞれの構成部に接続されている。
【００１８】
図４はプリンタ１のＵＳＢ制御部２０がホスト装置１００から受信する応答情報の構成図である。図４において、上記受信応答情報は、転送方法や通信方向を示す通信手段情報３１と、データ容量を示すデータサイズ情報３２と、データを書き込むあるいは閲覧する場所を示すアドレス情報３３と、ホスト装置１００の電力消費状態がパワーセーブ状態であるか否かを示す電力消費情報３４とを含んでいる。電力消費情報３４は、それに含まれるデータＺが“０”であれば、ホスト装置１００の電力消費状態がパワーセーブ状態であることを示し、上記データＺが“１”であれば、ホスト装置１００の電力消費状態がパワーセーブ状態でないことを示す。
【００１９】
図５は本発明の実施の形態１のプリンタ１の動作を説明するフローチャートである。また、図６は本発明の実施の形態１のホスト装置１００の動作を説明するフローチャートである。実施の形態１の印刷システムの動作について、以下に説明する。
【００２０】
最初に、プリンタ１は印刷可能状態であるとする。まず、プリンタ１のコントロール部２１は、第１のタイマー２３に時間のカウント開始指示を伝達する（図５のステップＳ１）。第１のタイマー２３のカウント時間Ｔが、所定の時間Ｔ１を経過すると（ステップＳ２）、コントロール部２１は、ホスト装置１００の電力消費状態等の状態を問い合わせるＲＯＭ２２内のプログラムを起動し（ステップＳ３）、この問い合わせを、ＵＳＢ制御部２０によりＵＳＢケーブル２００を介してホスト装置１００に送信して、実行する（ステップＳ４）。
【００２１】
そして、コントロール部２１は、第１のタイマー２３のカウント時間をリセットし（ステップＳ５）、第２のタイマー２４に時間のカウント開始指示を伝達する（ステップＳ６）。
【００２２】
ホスト装置１００は、プリンタ１からの上記問い合わせを受信すると（図６のステップＳ２１）、自装置（ホスト装置１００）の電力消費状態等の状態をチェックする（ステップＳ２２）。
【００２３】
ホスト装置１００は、上記チェックの結果、自装置がパワーセーブ状態であれば（ステップＳ２３）、応答情報の電力消費情報３４（図４参照）にデータＺ＝“０”を書き込み（ステップＳ２４，Ｓ２６）、自装置がパワーセーブ状態でなければ（ステップＳ２３）、電力消費情報３４にデータＺ＝“１”を書き込む（ステップＳ２５，Ｓ２６）。
【００２４】
そして、ホスト装置１００は、上記の電力消費情報３４（のデータＺ）を含む応答情報を、ＵＳＢケーブル２００を介して、プリンタ１に返信する（ステップＳ２７）。もし、ホスト装置１００が電源オフ状態であれば、ホスト装置１００は、プリンタ１からの上記問い合わせを受信することも、上記応答情報を送信することも不可能である。
【００２５】
プリンタ１のＵＳＢ制御部２０は、ＵＳＢケーブル２００を介して、ホスト装置１００から上記問い合わせについての応答があった場合は（図５のステップＳ７）、受信した応答情報に含まれる上記の電力消費情報３４を、判定部２５に伝達する（ステップＳ８）。判定部２５は、ＵＳＢ制御部２０からの電力消費情報３４に基づいて、ホスト装置１００が電源オン状態である（パワーセーブ状態であるかまたはそれ以外の電源オン状態である）と判定し、その判定結果をコントロール部２１に送る（ステップＳ９）。
【００２６】
コントロール部２１は、ホスト装置１００が電源オン状態であると判定されると、第２のタイマー２４のカウント時間をリセットする（ステップＳ１０）。そして、ここでは、最初にプリンタ１を印刷可能状態としているので、コントロール部２１は、ステップＳ１１，Ｓ１２，Ｓ１３を省略し、再度、第１のタイマー２３に時間のカウント指示を伝達し（ステップＳ１）、上記ステップＳ２以降の手順を繰り返す。
【００２７】
また、ホスト装置１００から上記の応答がない場合は（ステップＳ７）、コントロール部２１および判定部２５は、第２のタイマー２４のカウント時間Ｔが、所定の時間Ｔ２を経過するまで待機する（ステップＳ１４）。そして、判定部２５は、第２のタイマー２４のカウント時間Ｔが上記の時間Ｔ２を経過しても、ホスト装置１００から上記の応答がなかった場合には（ステップＳ１４）、ホスト装置１００が電源オフ状態であると判定し、その判定結果をコントロール部２１に送る（ステップ１５）。
【００２８】
コントロール部２１は、ホスト装置１００が電源オフ状態であると判定されると、第２のタイマー２４のカウント時間をリセットし（ステップＳ１６）、電力制御部２６にヒータ１０のオフ命令を伝達する（ステップＳ１７）。電力制御部２６は、コントロール部２１からヒータ１０のオフ命令が伝達されると、電源２７にヒータ１０の電力供給停止を指示し（ステップＳ１８）、電源２７は、ヒータ１０の電力供給を停止する（ステップＳ１９）。そして、コントロール部２１は、ヒータ１０の電力供給が停止されると、再度、第１のタイマー２３に時間のカウント指示を伝達し（ステップＳ１）、上記ステップＳ２以降の手順を繰り返す。
【００２９】
上記ステップＳ１９でヒータ１０の電力供給を停止してから、上記ステップＳ９でホスト装置１００が電源オン状態であると判定され、上記ステップ１０で第２のタイマー２４のリセットがなされた場合には、コントロール部２１は、電力制御部２６にヒータ１０のオン命令を伝達し（ステップＳ１１）、電力制御部２６は、電源２７にヒータ１０の電力供給開始を指示し（ステップＳ１２）、電源２７は、ヒータ１０の電力供給を開始する（ステップＳ１３）。そして、コントロール部２１は、ヒータ１０の電力供給が開始されると、再度、第１のタイマー２３に時間のカウント指示を伝達し（ステップＳ１）、上記ステップＳ２以降の手順を繰り返す。
【００３０】
なお、ヒータ１０の電力供給が停止されていない場合には、上記ステップＳ１１〜Ｓ１３は省略され、ヒータ１０の電力供給がすでに停止している場合には、上記ステップＳ１７〜Ｓ１９は省略される。
【００３１】
以上のように実施の形態１によれば、ホスト装置のＶＢＵＳ電圧レベルを検出するのではなく、プリンタからホスト装置に問い合わせをすることにより、ホスト装置とプリンタとの間にＵＳＢハブ装置が接続されている場合においても、ホスト装置の電力消費状態を判定することが可能となり、ホスト装置１００が電源オフ状態のときには、プリンタ１内部の電力供給を停止するので、無駄な電力消費を削減でき、省電力化を図ることができる。
【００３２】
なお、上記実施の形態１では、ヒータ１０に電力供給を停止する手順を説明したが、それ以外のプリンタ１の構成部に電力供給を停止する手順に置き換えることも容易に可能であり、さらにはプリンタ１自体の電源をオフする手順に置き換えることも可能である。
【００３３】
実施の形態２
以下に説明する本発明の実施の形態２の画像形成システムは、上記実施の形態１の画像形成システム（図１参照）において、画像形成装置１の構成を変更したものである。この実施の形態２においても、上記実施の形態１と同様に、画像形成装置１を電子写真方式のプリンタ、シリアルインターフェース２００をＵＳＢケーブルとし、プリンタ１とホスト装置１００とを、ＵＳＢケーブル２００を介して接続した印刷システムを例に、以下に説明する。
【００３４】
図７は本発明の実施の形態２のプリンタ１のブロック構成図であり、図３において相当するものには同じ符号を付してある。図７において、実施の形態２のプリンタ１は、ホスト装置１００と通信をするＵＳＢ制御部２０と、プリンタ１の動作を制御するコントロール部２１と、プリンタ１の制御プログラムが記憶されているＲＯＭ２２と、時間を監視する第１のタイマー２３と、時間を監視する第２のタイマー２４と、ホスト装置１００からの応答結果に基づいてホスト装置１００の電力消費状態を判定する判定部２５と、電源２７の電力を制御する電力制御部２６と、ヒータ回路２８およびスイッチ２９を有し、プリンタ１に電力を供給する電源２７と、ヒータ１０とを備えている。
【００３５】
この図７の実施の形態２のプリンタ１は、上記実施の形態１のプリンタ１（図３参照）において、電源２７内に、ヒータ１０に電力を供給するヒータ回路２８と、電源２８自体のスイッチ２９とを設け、判定部２５で、ホスト装置１００が電源オン状態であるか否かの判定に加えて、電源オン状態の場合にはパワーセーブ状態であるか否かも判定するようにしたものである。電力制御部２６は、電源２７内のヒータ回路２８およびスイッチ２９に接続されており、これらヒータ回路２８およびスイッチ２９のオン／オフを制御することが可能である。
【００３６】
図８は本発明の実施の形態２のプリンタ１の動作を説明するフローチャートである。なお、図６の上記実施の形態１のホスト装置１００の動作と同じである。実施の形態２の印刷システムの動作について、以下に説明する。
【００３７】
最初に、実施の形態２のプリンタ１は印刷可能状態であるとする。まず、プリンタ１のコントロール部２１は、第１のタイマー２３に時間のカウント開始指示を伝達する（図８のステップＳ３１）。第１のタイマー２３のカウント時間Ｔが、所定の時間Ｔ１を経過すると（ステップＳ３２）、コントロール部２１は、ホスト装置１００の電力消費状態等の状態を問い合わせるＲＯＭ２２内のプログラムを起動し（ステップＳ３３）、この問い合わせを、ＵＳＢ制御部２０によりＵＳＢケーブル２００を介してホスト装置１００に送信して、実行する（ステップＳ３４）。
【００３８】
そして、コントロール部２１は、第１のタイマー２３のカウント時間をリセットし（ステップＳ３５）、第２のタイマー２４に時間のカウント開始指示を伝達する（ステップＳ３６）。
【００３９】
ホスト装置１００は、プリンタ１からの上記問い合わせを受信すると（図６のステップＳ２１）、自装置（ホスト装置１００）の電力消費状態等の状態をチェックする（ステップＳ２２）。
【００４０】
ホスト装置１００は、上記チェックの結果、自装置がパワーセーブ状態であれば（ステップＳ２３）、応答情報の電力消費情報３４（図４参照）にデータＺ＝“０”を書き込み（ステップＳ２４，Ｓ２６）、自装置がパワーセーブ状態でなければ（ステップＳ２３）、電力消費情報３４にデータＺ＝“１”を書き込む（ステップＳ２５，Ｓ２６）。
【００４１】
そして、ホスト装置１００は、上記の電力消費情報３４（のデータＺ）を含む応答情報を、ＵＳＢケーブル２００を介して、プリンタ１に返信する（ステップＳ２７）。もし、ホスト装置１００が電源オフ状態であれば、ホスト装置１００は、プリンタ１からの上記問い合わせを受信することも、上記応答情報を送信することも不可能である。
【００４２】
プリンタ１のＵＳＢ制御部２０は、ＵＳＢケーブル２００を介して、ホスト装置１００から上記問い合わせについての応答があった場合は（図８のステップＳ３７）、受信した応答情報に含まれる上記の電力消費情報３４を、判定部２５に伝達する（ステップＳ３８）。判定部２５は、ＵＳＢ制御部２０からの電力消費情報３４に基づいて、ホスト装置１００が電源オン状態であると判定するとともに、この電力消費情報３４に含まれるデータＺの値に基づいてホスト装置１００がパワーセーブ状態であるか否かを判定し、それらの判定結果をコントロール部２１に送る（ステップＳ３９）。
【００４３】
ホスト装置１００がパワーセーブ状態ではない（Ｚ＝“１”）と判定された場合は（ステップＳ３９）、コントロール部２１は、第２のタイマー２４のカウント時間をリセットする（ステップＳ４０）。そして、ここでは、最初にプリンタ１を印刷可能状態としているので、コントロール部２１は、ステップＳ４１，Ｓ４２，Ｓ４３を省略し、再度、第１のタイマー２３に時間のカウント指示を伝達し（ステップＳ３１）、上記ステップＳ３２以降の手順を繰り返す。
【００４４】
逆に、ホスト装置１００がパワーセーブ状態である（Ｚ＝“０”）と判定された場合は（ステップＳ３９）、コントロール部２１は、第２のタイマー２４のカウント時間をリセットし（ステップＳ４４）、電力制御部２６にヒータ１０のオフ命令を伝達する（ステップＳ４５）。電力制御部２６は、コントロール部２１からヒータ１０のオフ命令が伝達されると、電源２７のヒータ回路２８に電力供給停止を指示し（ステップＳ４６）、ヒータ回路２８は、ヒータ１０の電力供給を停止する（ステップＳ４７）。そして、コントロール部２１は、ヒータ１０の電力供給が停止されると、再度、第１のタイマー２３に時間のカウント指示を伝達し（ステップＳ３１）、上記ステップＳ３２以降の手順を繰り返す。
【００４５】
上記ステップＳ４７でヒータ１０の電力供給を停止してから、上記ステップＳ３９でホスト装置１００がパワーセーブ状態ではない電源オン状態であると判定され、上記ステップ４０で第２のタイマー２４のリセットがなされた場合には、コントロール部２１は、電力制御部２６にヒータ１０のオン命令を伝達し（ステップＳ４１）、電力制御部２６は、電源２７のヒータ回路２８に電力供給開始を指示し（ステップＳ４２）、ヒータ回路２８は、ヒータ１０の電力供給を開始する（ステップＳ４３）。そして、コントロール部２１は、ヒータ１０の電力供給が開始されると、再度、第１のタイマー２３に時間のカウント指示を伝達し（ステップＳ３１）、上記ステップＳ３２以降の手順を繰り返す。
【００４６】
なお、ヒータ１０の電力供給が停止されていない場合には、上記ステップＳ４１〜Ｓ４３は省略され、ヒータ１０の電力供給がすでに停止している場合には、上記ステップＳ４５〜Ｓ４７は省略される。
【００４７】
また、ホスト装置１００から上記の応答がない場合は（ステップＳ３７）、コントロール部２１および判定部２５は、第２のタイマー２４のカウント時間Ｔが、所定の時間Ｔ２を経過するまで待機する（ステップＳ４８）。そして、判定部２５は、第２のタイマー２４のカウント時間Ｔが上記の時間Ｔ２を経過しても、ホスト装置１００から上記の応答がなかった場合には（ステップＳ４８）、ホスト装置１００が電源オフ状態であると判定し、その判定結果をコントロール部２１に送る（ステップＳ４９）。
【００４８】
コントロール部２１は、ホスト装置１００が電源オフ状態であると判定されると、第２のタイマー２４のカウント時間をリセットし（ステップＳ５０）、電力制御部２６に電源２７のオフ命令を伝達する（ステップＳ５１）。電力制御部２６は、コントロール部２１から電源２７のオフ命令が伝達されると、電源２７のスイッチ２９にオフを指示し（ステップＳ５２）、電源２７のスイッチ２９がオフになって、電源２７からのプリンタ１全体の電力供給が停止する（ステップＳ５３）。
【００４９】
その結果、プリンタ１は、スイッチ２９による電源オンがなされるまで、オフ状態となる。スイッチ２９による電源オンがなされると（ステップＳ５４）、プリンタ１は、初期動作を実行し（ステップＳ５５）、その結果、印刷可能状態になる（ステップＳ５６）。そして、コントロール部２１は、再度、第１のタイマー２３に時間のカウント指示を伝達し（ステップＳ３１）、上記ステップＳ３２以降の手順を繰り返す。
【００５０】
以上のように実施の形態２によれば、ホスト装置が電源オン状態でパワーセーブ状態であるときには、ヒータの電力供給を停止し、ホスト装置が電源オフ状態であるときには、プリンタ自体の電源をオフすることにより、上記実施の形態１に比較して選択肢が増え、さらなる省電力化を図ることが可能となる。
【００５１】
なお、上記実施の形態１および２では、画像形成装置として、特にプリンタを例に説明したが、本発明は、ファクシミリ、複写機、あるいはこれらのプリンタやファクシミリや複写機を組み合わせた複合機等にも、適用可能である。
【図面の簡単な説明】
【００５２】
【図１】本発明の実施の形態１の画像形成システムの構成図である。
【図２】電子写真方式のプリンタの側面構成図である。
【図３】本発明の実施の形態１のプリンタのブロック構成図である。
【図４】図３のＵＳＢ制御部がホスト装置から受信する応答情報の構成図である。
【図５】本発明の実施の形態１のプリンタの動作を説明するフローチャートである。
【図６】本発明の実施の形態１のホスト装置の動作を説明するフローチャートである。
【図７】本発明の実施の形態２のプリンタのブロック構成図である。
【図８】本発明の実施の形態２のプリンタの動作を説明するフローチャートである。
【符号の説明】
【００５３】
１  プリンタ（画像形成装置）
２  トレイ
３  印刷媒体
４  給紙ローラ
５  搬送ローラ
６  感光体ドラム
７  トナーボトル
８  転写ローラ
９  定着ローラ
１０  ヒータ
１１  スタッカ
２０  ＵＳＢ制御部
２１  コントロール部
２２  ＲＯＭ
２３  第１のタイマー
２４  第２のタイマー
２５  判定部
２６  電力制御部
２７  電源
２８  ヒータ回路
２９  スイッチ
１００  ホスト装置
２００  ＵＳＢケーブル（シリアルインターフェースケーブル）
【図１】
2006142768.tif 000003
【図２】
2006142768.tif 000004
【図３】
2006142768.tif 000005
【図４】
2006142768.tif 000006
【図５】
2006142768.tif 000007
【図６】
2006142768.tif 000008
【図７】
2006142768.tif 000009
【図８】
2006142768.tif 000010